(57)【要約】【課題】目的の箇所に貼り付けられた粘着テープをユーザがスムーズに剥がすことができるテープカッター等の技術を提供すること。【解決手段】テープカッター１００は、本体２０と、粘着テープ５をカットするカッター４０と、カッター４０を覆うカバー５０と、カバー５０を上方に向けて付勢するバネ４５、４６と、粘着テープ５の紫外線硬化性の粘着層１に対して紫外線を照射する照射部７０とを備える。カバー５０は、ユーザによる粘着テープ５の下方への押圧に応じて下方へ移動され、露出口５１からカッター４０の切断部４１を露出させる。照射部７０は、カバー５０の移動に応じて、電池７２と電気的に導通され、粘着層１に対して紫外線を照射する。これにより、粘着層１の一部の粘着力を低下させることができるので、ユーザは、その部分を摘みとして目的の箇所に貼り付けられた粘着テープ５をスムーズに剥がすことができる。【選択図】図６
2011045935.tif 000002
【特許請求の範囲】
【請求項１】
光硬化性の粘着面を有する粘着テープを切断可能な刃と、
前記粘着テープの前記粘着面に対して光を照射する照射部と、
前記粘着テープが引き出されることが可能に、巻回された前記粘着テープを保持し、前記刃及び前記照射部を搭載する本体と
を具備するテープカッター。
【請求項２】
請求項１に記載のテープカッターであって、
前記照射部による前記粘着テープの前記粘着面への前記光の照射と、非照射とを切り替えるスイッチ機構
をさらに具備するテープカッター。
【請求項３】
請求項２に記載のテープカッターであって、
前記刃を覆うように前記本体に設けられ、移動することで前記刃を露出させるカバーをさらに具備し、
前記スイッチ機構は、前記カバーが移動することにより電気的導通を行うコンタクタを有するテープカッター。
【請求項４】
請求項３に記載のテープカッターであって、
前記カバーは、前記本体に弾性的に設けられ、弾性力に抗して、前記引き出された前記粘着テープにより前記カバーが押圧されることにより移動可能である
テープカッター。
【請求項５】
請求項４に記載のテープカッターであって、
前記コンタクタは、前記カバーに前記弾性力を与える導電性の弾性体を有する
テープカッター。
【請求項６】
請求項１に記載のテープカッターであって、
前記粘着テープの前記粘着面は、紫外線硬化性の粘着面であり、
前記照射部は、前記粘着テープの前記粘着面に対して紫外線を照射する
テープカッター。
【請求項７】
請求項１に記載のテープカッターであって、
前記照射部は、前記粘着テープの、前記刃による切断端の近傍に向けて前記光を照射する
テープカッター。
【請求項８】
請求項１に記載のテープカッターであって、
前記照射部と前記粘着テープの前記粘着面との間に配置されるように前記本体に設けられ、前記照射部から照射された光を、前記粘着テープが引き出される方向とは反対の方向に傾いた方向に導く導光光学系
をさらに具備するテープカッター。
【請求項９】
請求項１に記載のテープカッターであって、
前記本体は、前記光を遮蔽可能である
テープカッター。
【請求項１０】
請求項１に記載のテープカッターであって、
前記粘着テープは、前記粘着面とは反対側の面に、前記光を遮蔽可能な遮光面をさらに有する
テープカッター。
【請求項１１】
第１の面と、前記第１の面とは反対側の第２の面とを有する基材と、
前記第１の面側に設けられた光硬化性の粘着層と、
前記第２の面側に設けられた遮光層と
を具備する粘着テープ。
【発明の詳細な説明】
【技術分野】
【０００１】
本発明は、粘着テープをカット可能なテープカッター及び粘着テープに関する。
【背景技術】
【０００２】
従来から、セロハンテープ等の粘着テープをカットする道具として、例えば、卓上などに置かれて使用される粘着テープカッターが広く用いられている。【０００３】
下記特許文献１には、粘着テープ（２１）がロール状に巻かれた粘着テープ巻付体（１２）を回転可能に保持するケースと、粘着テープ（２１）をカットするカッター（１８）とを備えた粘着テープカッター（１０）が記載されている。粘着テープカッター（１０）をユーザが使用する場合、ユーザは、粘着テープ（２１）を指で摘んで粘着テープカッター（１０）から引き出し、粘着テープをカッター（１８）により任意の長さにカットする。そして、ユーザは、カットされた粘着テープ（２１）を紙や、封筒などの目的の箇所へ貼り付ける（特許文献１の段落[０００９]〜［００１３］、図１〜図４参照）。
【先行技術文献】
【特許文献】
【０００４】
【特許文献１】特開２００１−１０６４２１号公報
【発明の概要】
【発明が解決しようとする課題】
【０００５】
ところで、粘着テープは、目的の箇所に貼り付けられると全面に亘って貼り付けられるので、ユーザが粘着テープを剥がすときに剥がしにくいといった問題がある。【０００６】
以上のような事情に鑑み、本発明の目的は、目的の箇所に貼り付けられた粘着テープをユーザがスムーズに剥がすことができるテープカッター及びこのテープカッターに用いられる粘着テープを提供することにある。
【課題を解決するための手段】
【０００７】
上記目的を達成するため、本発明の一形態に係るテープカッターは、刃と、照射部と、本体とを具備する。
前記刃は、光硬化性の粘着面を有する粘着テープを切断可能である。
前記照射部は、前記粘着テープの前記粘着面に対して光を照射する。
前記本体は、前記粘着テープが引き出されることが可能に、巻回された前記粘着テープを保持し、前記刃及び前記照射部を搭載する。【０００８】
本発明では、照射部からの光により、粘着テープの粘着面の一部が硬化されるので、その光が照射された部分の粘着力を低下させることができる。
ユーザが目的の箇所に貼り付けられた粘着テープを剥がすとき、粘着力が低下された部分を摘みとして粘着テープを剥がすことができるので、ユーザは、スムーズに粘着テープを剥がすことができる。【０００９】
本発明の一形態に係る粘着テープは、基材と、粘着層と、遮光層とを具備する。
前記基材は、第１の面と、前記第１の面とは反対側の第２の面とを有する。
前記粘着層は、前記第１の面側に設けられた光硬化性の粘着層である。
前記遮光層は、前記第２の面側に設けられる。【００１０】
本発明では、基材の第１の面に光硬化性の粘着層が設けられているので、例えば、この粘着層の一部に光を照射させて、粘着層の一部の粘着力を低下させることができる。ユーザが目的の箇所に貼り付けられた粘着テープを剥がすとき、粘着力が低下された部分を摘みとして粘着テープを剥がすことができるので、ユーザは、スムーズに粘着テープを剥がすことができる。
また、本発明では、基材の第２の面に遮光層が設けられている。これにより、遮光層側からの外光（例えば、自然光）が粘着層に照射されてしまい、不必要に粘着面の粘着力が低下されてしまうことを防止することができる。
【発明の効果】
【００１１】
以上説明したように、本発明によれば、目的の箇所に貼り付けられた粘着テープをユーザがスムーズに剥がすことができるテープカッター及びこのテープカッターに用いられる粘着テープを提供することができる。
【図面の簡単な説明】
【００１２】
【図１】本発明の一実施形態に係るテープカッターを模式的に示す斜視図である。
【図２】テープカッターの内部構造を示す、模式的な側方スケルトン図である。
【図３】粘着テープを示す断面図である。
【図４】テープカッターを前方側から見た斜視図であり、カッター、カバー及びバネを示す模式的な部分拡大図である。
【図５】テープカッターの電気的な接続関係を示す模式図であり、照射部の照射と非照射とを切り替えるコンタクタ（スイッチ機構）を示す図である。
【図６】テープカッターにより、粘着テープ切断されるときの様子を側方からみた模式図なスケルトン図である。
【図７】粘着テープが切断されるときの、テープカッターの電気的な接続関係を示す模式図である
【図８】粘着テープが切断されるときの様子を前方側から見た拡大斜視図である。
【図９】他の実施形態に係るテープカッターが備えるコンタクタを示す模式図であり、テープカッターの電気的な接続関係を示す図である。
【図１０】他の実施形態に係るカバーの構造を示す断面図である。
【発明を実施するための形態】
【００１３】
本発明の一形態に係るテープカッターは、刃と、照射部と、本体とを具備する。
前記刃は、光硬化性の粘着面を有する粘着テープを切断可能である。
前記照射部は、前記粘着テープの前記粘着面に対して光を照射する。
前記本体は、前記粘着テープが引き出されることが可能に、巻回された前記粘着テープを保持し、前記刃及び前記照射部を搭載する。
【００１４】
本発明では、照射部からの光により、粘着テープの粘着面の一部が硬化されるので、その光が照射された部分の粘着力を低下させることができる。
ユーザが目的の箇所に貼り付けられた粘着テープを剥がすとき、粘着力が低下された部分を摘みとして粘着テープを剥がすことができるので、ユーザは、スムーズに粘着テープを剥がすことができる。
【００１５】
上記テープカッターにおいて、前記照射部による前記粘着テープの前記粘着面への前記光の照射と、非照射とを切り替えるスイッチ機構をさらに具備していてもよい。
これにより、照射部の照射と、非照射とを切り替えることができるので、照射部による消費電力を低減させることができる。
【００１６】
上記テープカッターにおいて、前記刃を覆うように前記本体に設けられ、移動することで前記刃を露出させるカバーをさらに具備していてもよい。
この場合、前記スイッチ機構は、前記カバーが移動することにより電気的導通を行うコンタクタを有していてもよい。
【００１７】
テープカッターの本体に、刃を覆うカバーが設けられることで、テープカッターの安全性を向上させることができる。さらに、スイッチ機構のコンタクタは、カバーの移動に応じて、電気的導通を行って照射部から光を照射させ、粘着面の一部の粘着力を低下させることができる。このように、本発明では、カバーの移動に応じた適切なタイミングで粘着面の一部の粘着力を低下させることができる。
【００１８】
上記テープカッターにおいて、前記カバーは、前記本体に弾性的に設けられ、弾性力に抗して、前記引き出された前記粘着テープにより前記カバーが押圧されることにより移動可能であってもよい。
【００１９】
本発明では、ユーザは、粘着テープにより弾性力に抗してカバーを押圧し、カバーに覆われていた刃を露出させて、粘着テープをカットする。このとき、コンタクタは、カバーの移動に応じて電気的導通を行って照射部から光を照射させ、粘着面の一部の粘着力を低下させることができる。
【００２０】
上記テープカッターにおいて、前記コンタクタは、前記カバーに前記弾性力を与える導電性の弾性体を有していてもよい。
本発明では、導電性の弾性体は、カバーに弾性力を与える機能と、照射部の照射と非照射とを切り替えるスイッチ機構のコンタクタとしての機能とを兼用する。このように、弾性体が２つの機能を兼用するので、テープカッターに用いられる部材の部品点数を低減することができ、コストを削減することができる。
【００２１】
上記テープカッターにおいて、前記粘着テープの前記粘着面は、紫外線硬化性の粘着面であってもよい。この場合、前記照射部は、前記粘着テープの前記粘着面に対して紫外線を照射してもよい。
例えば、蛍光灯等の外光には、紫外線の波長領域の光はほとんど含まれないので、蛍光灯などの外光により、粘着面の粘着力が不必要に低下してしまうことを防止することができる。
【００２２】
上記テープカッターにおいて、前記照射部は、前記粘着テープの、前記刃による切断端の近傍に向けて前記光を照射してもよい。
これにより、テープの適切な位置の粘着力を低下させることができる。
【００２３】
上記テープカッターにおいて、前記照射部と前記粘着テープの前記粘着面との間に配置されるように前記本体に設けられ、前記照射部から照射された光を、前記粘着テープが引き出される方向とは反対の方向に傾いた方向に導く導光光学系をさらに具備していてもよい。
これにより、照射部からの光が本体外部へ漏れてしまうことを防止することができる。
【００２４】
上記テープカッターにおいて、前記本体は、前記光を遮蔽可能であってもよい。
これにより、例えば、蛍光灯からの光や、自然光等の外光が本体内部に入りこみ、粘着テープの粘着面の粘着力が不必要に低下してしまうことを防止することができる。
【００２５】
上記テープカッターにおいて、前記粘着テープは、前記粘着面とは反対側の面に、前記光を遮蔽可能な遮光面をさらに有していてもよい。
これにより、遮光面側からの外光が粘着面に照射されてしまい、不必要に粘着面の粘着力が低下されてしまうことを防止することができる。
【００２６】
本発明の一形態に係る粘着テープは、基材と、粘着層と、遮光層とを具備する。
前記基材は、第１の面と、前記第１の面とは反対側の第２の面とを有する。
前記粘着層は、前記第１の面側に設けられた光硬化性の粘着層である。
前記遮光層は、前記第２の面側に設けられる。
【００２７】
本発明では、基材の第１の面に光硬化性の粘着層が設けられているので、例えば、この粘着層の一部に光を照射させて、粘着層の一部の粘着力を低下させることができる。ユーザが目的の箇所に貼り付けられた粘着テープを剥がすとき、粘着力が低下された部分を摘みとして粘着テープを剥がすことができるので、ユーザは、スムーズに粘着テープを剥がすことができる。
【００２８】
また、本発明では、基材の第２の面に遮光層が設けられている。これにより、遮光層側からの外光（例えば、自然光）が粘着層に照射されてしまい、不必要に粘着面の粘着力が低下されてしまうことを防止することができる。
【００２９】
以下、図面を参照しながら、本発明の実施形態を説明する。
＜第１実施形態＞
【００３０】
［テープカッターの全体構成、各部の構成及び粘着テープの構成］
図１は、本発明の第１実施形態に係るテープカッターを模式的に示す斜視図である。図２は、テープカッターの内部構造を示す、模式的な側方スケルトン図である。なお、本明細書中において、テープカッター１００や、テープカッター１００が有する各部材について、図面を見やすく表示するため、実際の大きさと異なって表示する場合がある。
【００３１】
図１及び図２に示すように本実施形態に係るテープカッター１００は、巻回された粘着テープ５を引き出し可能に保持するケース状の本体２０を備える。また、テープカッター１００は、筒状の芯６と、芯６に巻回された粘着テープ５とを有するテープロール体１０を本体２０内部で回転可能に保持するホルダ３０を備える。
【００３２】
また、テープカッター１００は、粘着テープ５をカットする刃４０と、刃４０を覆うカバー５０と、カバー５０を上方に向けて付勢するバネ４５、４６とを備える。また、テープカッター１００は、粘着テープ５の紫外線硬化性の粘着層１の表面である粘着面（図３参照）に対して紫外線を照射し、粘着層１の一部の粘着力を低下させる照射部７０と、照射部７０に電力を供給する電池７２とを備える。さらに、テープカッター１００は、照射部７０による粘着層１への紫外線の照射と、非照射とを切り替えるスイッチ機構としてコンタクタ６０を備える（図４参照）。
【００３３】
図３は、粘着テープを示す断面図である。
【００３４】
図３に示すように、粘着テープ５は、基材３と、基材３の下面側に設けられた紫外線硬化性の粘着層１と、基材３及び粘着層１を接着する紫外線遮蔽性の接着層２と、基材３の上面側に設けられた紫外線遮蔽性の剥離層４（遮光層）とを有する。
【００３５】
基材３としては、例えば、セロハンフィルム、フッ素樹脂フィルム、アセテートフィルム等の樹脂フィルムや、紙、布等が用いられる。
【００３６】
紫外線硬化性の粘着層１は、例えば、ゴム系、アクリル系、シリコン系の粘着剤に、光重合性化合物が混合されて構成される。光重合性化合物としては、例えば、トリメチロールプロパントリアクリレート、ペンタエリスリトールトリアクリレートなどが挙げられる。
【００３７】
粘着層１が紫外線硬化性の粘着層１とされることで、蛍光灯等の外光の影響により粘着層１の粘着力が不必要に低下されてしまうことを防止することができる。なお、蛍光灯から照射される光には、紫外線の波長領域の光はほとんど含まれない。
【００３８】
紫外線遮蔽性の接着層２は、例えば、接着剤(下塗り剤)に、酸化チタン、酸化亜鉛、ベンゾフェノン誘導体、ベンゾトリアゾール誘導体等の紫外線吸収剤が混合されて構成される。接着層２が紫外線遮蔽性を有することで、例えば、蛍光灯からの光や自然光などの外光が基材３の上面側から粘着層１へ到達し、不必要に粘着層１の粘着力が低下してしまうことを防止することができる。
【００３９】
紫外線遮蔽性の剥離層４は、例えば、長鎖アルキル基をもつポリマー、シリコン系ポリマー等の剥離剤に、酸化チタン、酸化亜鉛、ベンゾフェノン誘導体、ベンゾトリアゾール誘導体等の紫外線吸収剤が混合されて構成される。
剥離層４が紫外線遮蔽性を有することで、例えば、蛍光灯からの光や自然光などの外光が基材３の上面側から粘着層１へ到達し、不必要に粘着層１の粘着力が低下してしまうことを防止することができる。
【００４０】
基材３、粘着層１、接着層２、剥離層４に用いられる材料は、上記した材料に限られず、他の材料を適宜選択することができる。幅、厚さなども特に限定されない。
粘着テープは、粘着剤、接着剤、剥離剤に所定の成分を混合することで、製造することができるので、既存の設備を変更することなく製造可能である。
【００４１】
再び図１及び２を参照して、テープカッター１００の本体２０は、上部の一方の角部が、斜め上方向に向かって切り欠かれるように設けられた切り欠き部２１を有する。粘着テープ５は、切り欠き部２１を介して本体２０外部へと引き出される。
なお、以降の説明では、切り欠き部２１が設けられた側を前方側、反対側を後方側として説明する。
【００４２】
本体２０は、紫外線を遮蔽可能な材料により構成される。紫外線を遮蔽可能な材料としては、例えば、アルミニウム、銅などの金属や、有色の（透明、半透明でない）樹脂、紫外線吸収剤が混合された樹脂（透明、半透明であってもよい）などが挙げられる。しかし、これらに限定されない。
【００４３】
また、本体２０自体が紫外線を遮蔽可能な材料により構成される場合に限られず、本体２０に紫外線を遮蔽可能なフィルムが貼り付けられていても構わない。
これにより、蛍光灯や自然光等の外光により、粘着テープ５の粘着層１の粘着力が不必要に低下してしまうことを防止することができる。
【００４４】
照射部７０は、本体２０の前方側において、切り欠き部２１の下側に配置される。照射部７０としては、例えば、指向性の高いレンズ付き紫外線ＬＥＤ（light Emitting Diode）が用いられる。照射部７０が照射する光としては、紫外線の波長領域（１０ｎｍ〜４００ｎｍ）の光のうち、２８０ｎｍ〜３１５ｎｍの波長領域の光（ＵＶ−Ｂ）が用いられる。これにより、人体への安全性を確保することができる。
【００４５】
切り欠き部２１の下側には、照射部７０と粘着テープ５の粘着層１との間に配置されるように、導光光学系としてのプリズム７１が設けられる。このプリズム７１は、照射部７０から照射された紫外線を本体２０の後方側（粘着テープ５が引き出される方向とは反対側）に傾いた方向に導き、紫外線を粘着テープ５の粘着層１へ照射させる。
【００４６】
このように、本体２０にプリズム７１が設けられることで、照射部７０から照射された紫外線が本体２０の外部に漏れてしまうことを防止することができる。これにより、人体への安全性を確保することができる。また、プリズム７１が設けられることにより、粘着テープ５の所望の位置に紫外線を集めて照射することができ、紫外線のエネルギーの使用効率を高めることができる。
【００４７】
ここで、粘着テープ５の粘着層１に対して紫外線が照射される領域は、典型的には、刃４０による粘着テープ５の切断端の近傍の領域７とされる（図８参照）。このような領域に紫外線が照射されるように、照射部７０の角度、プリズム７１の角度、形状などが適宜調整される。例えば領域７は、切断端から５ｍｍ以上〜１５ｍｍ以下の範囲に設定されるが、この範囲に限られない。
【００４８】
照射部７０に電力を供給する電池７２としては、例えば、ボタン型電池７２などの小型の電池７２が用いられる。なお、電池７２の種類は、特に限定されず、適宜変更可能である。
【００４９】
図４は、テープカッターを前方側から見た斜視図であり、刃４０、カバー５０及びバネ４５、４６を示す模式的な部分拡大図である。なお、図４では、図面を見やすく表示するため、テープカッター１００の本体２０が一点鎖線で表示され、刃４０、カバー５０、バネ４５、４６、粘着テープ５が実線で表示されている。
【００５０】
図４に示すように、本体２０の前方側端部の上部には、カバー５０を上下方向（ｚ軸方向）に案内する凹部２２が設けられる。
【００５１】
刃４０は、例えば、板状の金属部材であり、上部に粘着テープ５を切断する切断部４１を有する。刃４０は、下端部が凹部２２の底面に固定されており、凹部２２の底面に対して略垂直に設けられている。
【００５２】
刃４０を覆うカバー５０は、本体２０に設けられた凹部２２によって上下方向に移動可能とされる。カバー５０は、刃４０を覆うことができる程度の大きさとされ、内部は、中空とされる。カバー５０の上面側には、カバー５０から刃４０を露出させるための露出口５１が設けられる。
【００５３】
カバー５０の上部は、刃４０を覆う機能の他に、粘着テープ５が刃４０によって切断された切断端を一時的に接着させ保持しておく保持部としての機能も有する。
【００５４】
バネ４５、４６は、凹部２２内において、カバー５０の下方に配置され、カバー５０を下方から支持し、カバー５０に弾性力を与える。バネ４５、４６は、刃４０の幅方向（ｘ軸方向）の両側で刃４０を挟み込む位置に配置される。バネ４５、４６の代わりにゴムなどの他の弾性体が用いられてももちろん構わない。
【００５５】
図５は、テープカッターの電気的な接続関係を示す模式図であり、照射部の照射と非照射とを切り替えるコンタクタ（スイッチ機構）を示す図である。
【００５６】
図５示すように、コンタクタ６０は、凹部２２の底面に固定された２つの接点６１、６２と、カバー５０の下面に固定された導電部材６３とを有する。
接点６１、６２は、導線７５を介して照射部７０及び電池７２に電気的に接続される。
導電部材６３は、上下方向で接点６１、６２に対応する位置に配置される。導電部材６３は、カバー５０の移動に応じて、２つの接点６１、６２と接触し、電池７２と照射部７０とを電気的に導通させて、照射部７０から紫外線を照射させる。
［動作説明］
次に、テープカッター１００の動作について説明する。
図６〜図８は、テープカッター１００の動作を説明するための図である。
【００５７】
図６は、テープカッターにより、粘着テープ５が切断されるときの様子を側方からみた模式図なスケルトン図である。図７は、粘着テープ５が切断されるときの、テープカッターの電気的な接続関係を示す模式図である。図８は、粘着テープ５が切断されるときの様子を前方側から見た拡大斜視図である。なお、図８では、図面を見やすく表示するため、テープカッター１００の本体２０が一点鎖線で表示され、刃４０、カバー５０、バネ４５、４６、粘着テープ５が実線で表示されている。
【００５８】
まず、ユーザは、粘着テープ５の切断端近傍を指で摘み、切り欠き部２１を介して粘着テープ５を本体２０から引き出す。ユーザが、粘着テープ５を任意の長さまで引き出した後、粘着テープ５を摘んだ指を下方に下げると、粘着テープ５がカバー５０の上面に当接する。ユーザが粘着テープ５により、カバー５０の弾性力に抗してカバー５０を押圧すると、カバー５０が下方へ移動され、カバー５０の露出口５１から刃４０の切断部４１が露出する。これにより、粘着テープ５が任意の長さに切断される。
【００５９】
カバー５０が下方へ移動されると、カバー５０の下面に固定された導電部材６３が下方へ移動し、接点６１、６２と接触する（図７参照）。これにより、照射部７０と、電池７２とが電気的に導通され、照射部７０から粘着テープ５の下面に設けられた粘着層１に向けて紫外線が照射される。このように、コンタクタ６０は、カバー５０の移動に応じた適切なタイミングで、照射部７０から紫外線を照射させる。
【００６０】
照射部７０から照射された紫外線は、プリズム７１により、本体２０の後方側（粘着テープ５が引き出される方向とは反対側）に傾いた方向に導かれる（図６参照）。そして、紫外線は、粘着テープ５の切断端の近傍の領域７に照射される（図８参照）。
【００６１】
紫外線は、プリズム７１により、本体２０の後方側に導かれるため、紫外線が本体２０外部へ漏れてしまうことを防止することができる。これにより、人体への安全性を確保することができる。なお、上記したように、粘着テープ５の剥離層４及び接着層２は、紫外線遮蔽性を有しているので、ユーザが粘着テープ５を介して紫外線を見ても影響のない状態とされる。
【００６２】
粘着層１に紫外線が照射されると、粘着層１の一部が紫外線により硬化され、粘着層１の一部の粘着力が低下される。
【００６３】
粘着テープ５が切断されると、バネ４５、４６の弾性力によりカバー５０が上方へ移動し、刃４０の切断部４１がカバー５０により覆われる。
【００６４】
粘着テープ５の切断端は、テープカッター１００が次に使用されるまでの間、カバー５０の上面により一時的に保持される。
次に粘着テープ５が使用されるまでの間は、刃４０の切断部４１は、カバー５０に覆われた状態とされるので、テープカッター１００の安全性を向上させることができる。
【００６５】
ユーザが再びテープカッター１００を使用する際、粘着テープ５の切断端の近傍を摘んで粘着テープ５を本体２０から引き出す。このとき、粘着テープ５の切断端から少し離れた領域７の粘着力が低下しているので、ユーザは、この部分を摘みとして、粘着テープ５を引き出すことができる。
【００６６】
ユーザが再び粘着テープ５を切断すると、上記したテープカッター１００の動作が繰り返され、再び粘着テープ５の粘着層１の一部の粘着力が低下される。
ユーザは、任意の長さに粘着テープ５を切断すると、例えば、野菜や、植木の苗などの仮止めや、工事現場での仮止め用として、粘着テープ５を目的の箇所へ貼り付ける。このとき、ユーザの指に粘着テープ５が粘着することもなく、ユーザは、スムーズに粘着テープ５を目的の箇所に貼り付けることできる。
【００６７】
粘着テープ５が目的の箇所に貼り付けられた場合、粘着テープ５は、外光の影響による硬化により粘着力が低下することなく、目的の箇所に張り付いたままの状態を保持することができる。すなわち、本実施形態に係る粘着テープ５は、剥離層４と、接着層２とが紫外線遮蔽性を有しているので、粘着テープ５が目的の箇所に貼り付けられた後も紫外線により粘着層１が硬化されて粘着力が低下されてしまうことを防止することができる。
【００６８】
粘着テープ５が目的の箇所に貼り付けられてから所定時間経過後、ユーザは、仮止めとして用いた粘着テープ５を目的の箇所から剥がす。このとき、ユーザは、粘着力が低下された部分（切断端の近傍）を摘みとして粘着テープ５を剥がすことができるので、スムーズに粘着テープ５を剥がすことができる。
【００６９】
次に、紫外線が粘着テープ５の切断端の近傍の領域７であって、切断端から少し離れた領域７に照射される理由について説明する（図８参照）。上述のように、カバー５０の上部は、粘着テープ５の切断端を一時的に保持している保持部としての機能も有しており、テープカッター１００が次に使用されるまでの間は、粘着テープ５の切断端は、この保持部によって一時的に保持される。
【００７０】
紫外線が照射される位置が切断端から近すぎる場合、切断端の粘着力が低下し、粘着テープ５がカバー５０の上面から剥がれ落ちてしまう。
一方で、紫外線が照射される位置が、切断端から遠すぎると、粘着テープ５の剥離時、あるいは、粘着テープの切断時にユーザにより摘まれる部分とは異なる位置の粘着力が低下してしまう。
【００７１】
そこで、本実施形態では、紫外線の照射される領域は、粘着テープ５の切断端の近傍の領域であって、切断端から少し離れた領域７とされている。これにより、粘着テープ５の切断端がカバー５０の上面から剥がれ落ちてしまうことを防止することができ、また、ユーザにより摘まれる部分に対して適切に粘着力を低下させることができる。
＜第２実施形態＞
【００７２】
次に、本発明の第２実施形態について説明する。
第２実施形態では、上述の第１実施形態と、コンタクタの構成が異なっている。従って、その点を中心に説明する。なお、第２実施形態の以降では、上述の第１実施形態と同様の構成、機能を有する部材等については、同一符号を付して説明する。
【００７３】
図９は、第２実施形態に係るテープカッターが備えるコンタクタを示す模式図であり、テープカッターの電気的な接続関係を示す図である。図９（Ａ）には、テープカッター未使用時の電気的な接続関係が示されており、図９（Ｂ）には、テープカッター使用時（粘着テープ５の切断時）の電気的な接続関係が示されている。
【００７４】
図９に示すように、コンタクタ８０は、４つの接点８１、８２、８３、８４と、カバー５０に弾性力を与える導電性のバネ７８、７９とを有する。すなわち、本実施形態に係るバネ７８、７９は、カバー５０に弾性力を与える機能と、コンタクタ８０としての機能とを兼用する。
接点８１、８２、８３、８４は、導線７５を介して照射部７０及び電池７２に電気的に接続される。
バネ７８、７９の上端部は、カバー５０の下面に固定され、バネ７８、７９の下端部は、凹部２２の底面に固定される。
バネ７８の下端部は、接点８１及び８２の間を通り、これらの接点８１及び８２に触れない程度の細い形状を有しており、かつ、カバー５０に弾性力を与えることができる程度の剛性を有している。バネ７９の下端部も同様に、接点８３及び８４の間を通り、これらの接点８３及び８４に触れない程度の細い形状を有しており、かつ、カバー５０に弾性力を与えることができる程度の剛性を有している。バネ７８、７９は、アルミニウム、銅、鉄などの導電性の材料により構成されている。
【００７５】
図９（Ａ）に示すように、テープカッター１００が未使用時の場合、バネ７８、７９は、接点８１及び８２、及び、接点８３及び８４にそれぞれ接しない状態とされる。
【００７６】
図９（Ｂ）に示すように、ユーザが粘着テープ５により、カバー５０の弾性力に抗してカバー５０を下方へ押圧すると、カバー５０が下方へ移動される。カバー５０の下方への移動により、カバー５０の露出口５１から刃４０の切断部４１が露出し、粘着テープ５が切断される。
【００７７】
粘着テープ５により、カバー５０が下方へ移動される際、カバー５０を下方から支持するバネ７８が縮み接点８１及び８２と接触し、また、バネ７９が縮み接点８３及び８４と接触し。これにより、照射部７０と、電池７２とが電気的に導通され、照射部７０から粘着テープ５の粘着層１に向けて紫外線が照射され、粘着層１の一部の粘着力が低下される。
【００７８】
粘着テープ５が切断されると、カバー５０は粘着テープ５による押圧力から解放される。そうすると、縮んでいたバネ７８、７９が伸びた状態となるので、バネ７８と、接点８１及び８２との接触が解除され、また、バネ７９と、接点８３及び８４との接続が解除される。これに伴い、電池７２と照射部７０との電気的な導通状態が解除され（図９（Ａ）参照）、これにより、照射部７０が消灯される。
【００７９】
このように、本実施形態においても、上述の第１実施形態と同様に、コンタクタ８０は、カバー５０の移動に応じた適切なタイミングで、照射部７０から紫外線を照射させることができる。さらに、本実施形態では、バネ７８、７９がカバー５０に弾性力を与える機能と、コンタクタ８０としての機能とを兼用するため、テープカッター１００に用いられる部材の部品点数を低減することができ、コストを削減することができる。
【００８０】
図１０（Ａ）は、他の実施形態に係る、刃４０を覆うカバーを示す断面図である。このカバー１５０の上面はテーパ面１５２を有し、このテーパ面１５２に、刃４０が露出する露出口１５１が形成されている。粘着テープ５（図１０（Ｂ）参照）の引き出し方向（図中右側）に向かうに従ってカバー１５０の上面の高さが低くなるように、テーパ面１５２が形成されている。
【００８１】
図１０（Ｂ）に示すように、粘着テープ５が右方向に引き出され、カバー１５０の上面の最上部１５３が粘着テープ５で押圧されることにより、刃４０がテーパ面１５２に形成された露出口１５１から露出する。そして、粘着テープ５がさらに押圧されることによりカバー１５０がさらに下降し、これにより粘着テープ５が切断される。
【００８２】
このようにカバー１５０の上面にテーパ面１５２が設けられ、テーパ面１５２に露出口１５１が設けられることにより、粘着テープ５のカバー１５０への押圧力によって確実に刃４０を露出させることができ、粘着テープ５を確実に切断することができる。
【００８３】
＜各種変形例＞
上述の各実施形態の説明では、テープカッター１００及び粘着テープ５について、紫外線の波長領域の光を利用した形態について説明した。しかし、これに限られず、テープカッター１００及び粘着テープ５は、可視光領域の光を利用した形態であってもよい。この場合、粘着テープ５の粘着層１は、可視光硬化性の粘着層１とされ、照射部７０は、可視光硬化性の粘着層１に対して可視光領域の光を照射する照射部７０とされる。
【００８４】
この場合、例えば、粘着テープ５の粘着層１は、蛍光灯からの光や自然光等の外光よりも強いエネルギーの光で硬化される可視光硬化性の粘着層１とされる。これにより、外光により不必要に粘着層１の粘着力が低下されてしまうことを防止することができる。
【００８５】
可視光領域の光が利用される形態の場合、粘着テープ５の接着層２、剥離層４、テープカッター１００の本体２０についても同様に、可視光領域の光を遮蔽可能とされてもよい。これにより、外光による影響を低減させることができる。
【００８６】
また、可視光領域の光が利用される形態の場合、本体２０の切り欠き部２１をなるべく小さく設計することで、外光の影響を軽減する形態も考えられる。あるいは、本体２０の切り欠き部２１を覆うカバー体（図示せず）が本体２０に対して回動可能設けられることで、外光の影響を軽減する形態も考えられる。この場合、ユーザは、テープカッター１００使用時にカバー体を回動させ、切り欠き部２１を露出させてから粘着テープ５を引き出して粘着テープ５をカットすればよい。
【００８７】
上記各実施形態の説明では、粘着テープ５の使用例の一例として、野菜や、植木の苗などの仮止めや、工事現場での仮止めに用いられる場合について説明したが、粘着テープ５は、仮止め用以外の用途にももちろん使用することができる。粘着テープが貼り付けられる対象についても、紙、封筒、ダンボール等であってももちろん構わない。また、スーパーやコンビニエンスストア等で、店員がレジ袋を使用せず、粘着テープ５を商品に貼る場合があり、この場合でもその商品の購入者は、後に商品から粘着テープ５を剥がしやすいというメリットがある。
【００８８】
粘着テープ５は、剥離層４及び接着層２の紫外線遮蔽性能を調整することで、所定の期間（例えば、１週間や、１ヶ月）に自然に剥がれ落ちるように構成することも可能である。また、粘着テープ５の基材３、粘着層１、剥離層４、粘着層１に用いられる材料を適宜選択することで、粘着テープ５が自然に分解されて、土に還るように構成することも可能である。
【００８９】
上述の各実施形態では、スイッチ機構の一例として、カバー５０の移動に応じて、電池７２と照射部７０とを電気的に導通させるコンタクタ６０（または、コンタクタ８０）を例に挙げて説明した。しかし、スイッチ機構は、このような形態に限られない。例えば、スイッチ機構は、ユーザが指で切り替え操作することができる形態であっても構わない。この場合、スイッチ機構は、テープカッター１００の本体２０の上面や、側面等に設けられる。このような形態においても、スイッチ機構が設けられていない形態に比べ、照射部７０の消費電力を低減させることができる。
【００９０】
上述の各実施形態では、手動式のテープカッター１００を例に挙げて説明した。しかし、テープカッター１００は、電動式のテープカッターであってもよい。電動式のテープカッターは、例えば、製造ライン等、主に業務用として使用される。
【符号の説明】
【００９１】
１…粘着層
２…接着層
３…基材
４…剥離層
５…粘着テープ
１０…テープロール体
２０…本体
４０…刃
４５、４６、７８、７９…バネ
５０、１５０…カバー
６０、８０…コンタクタ
７０…照射部
７１…プリズム
７２…電池
１００…テープカッター
【図１】
2011045935.tif 000003
【図２】
2011045935.tif 000004
【図３】
2011045935.tif 000005
【図４】
2011045935.tif 000006
【図５】
2011045935.tif 000007
【図６】
2011045935.tif 000008
【図７】
2011045935.tif 000009
【図８】
2011045935.tif 000010
【図９】
2011045935.tif 000011
【図１０】
2011045935.tif 000012
【国際調査報告】
2011045935.tif 000013
2011045935.tif 000014
2011045935.tif 000015
2011045935.tif 000016